(57)【要約】【課題】容器本体の口首部からの突出長さを過度に大きくすることなく液溜め部分の容量を増大して、計量可能な内溶液の容量を容易に増やすことができ、また成形のし易や取り扱い易さを一層向上させた計量キャップを提供する。【解決手段】容器本体１２の口首部１１に取り付けられた本体キャップ１３に着脱可能に装着される計量キャップ１０であって、注ぎ口１４を下方に向けて本体キャップ１３の内側に上方から挿入配置される液戻し筒部１５と、液戻し筒部１５と接続部１７を介して接続する当該液戻し筒部１５の内径よりも大きな内径を備える液溜め膨出部１６とを有しており、且つ液戻し筒部１５と液溜め膨出部１６が接続部１７で上下に分割されて、液溜め膨出部１６はヒンジ接合部５０を介して接続部１７に連結されており、液溜め膨出部１６は、ヒンジ接合部５０を中心に回動し、周縁シール接合手段５１を介して接続部１７に接合一体化される。【選択図】      図１
2004331146.tif 000002
【特許請求の範囲】
【請求項１】
容器本体の口首部又は該口首部に取り付けられた本体キャップに着脱可能に装着される計量キャップであって、
先端の注ぎ口を下方に向けて、装着時に前記口首部又は前記本体キャップの内側に少なくとも先端側の一部が上方から挿入配置される液戻し筒部と、該液戻し筒部と接続部を介して接続する当該液戻し筒部の内径よりも大きな内径を備える液溜め膨出部とを有しており、
且つ前記液戻し筒部と前記液溜め膨出部が前記接続部で上下に分割されて、前記液溜め膨出部はヒンジ接合部を介して前記接続部に連結されており、前記液溜め膨出部は、前記ヒンジ接合部を中心に回動し、周縁シール接合手段を介して前記接続部に接合一体化される計量キャップ。
【請求項２】
前記周縁シール接合手段は、前記接続部又は前記液溜め膨出部のいずれか一方の周方向に沿って設けられた、一対の環状突壁に挟まれる嵌合凹部と、前記接続部又は前記液溜め膨出部の他方の周方向に沿って設けられた、前記嵌合凹部に嵌合する環状突壁による嵌合凸部とによって構成される請求項１記載の計量キャップ。
【発明の詳細な説明】
【０００１】
【発明の属する技術分野】
本発明は、計量キャップに関し、特に容器本体の口首部又は該口首部に取り付けられた本体キャップに着脱可能に装着される計量キャップに関する。
【０００２】
【従来の技術】
内容液として例えば液体洗剤、柔軟剤、漂白剤、糊剤等を収容する容器は、これらの内容液を計量しつつ使用される場合があり、計量用のカップ等を別途に用いることが煩わしいことから、キャップとして内容液を計量する機能を備えた計量キャップを、例えば合成樹脂製のボトル容器等の口首部に装着して使用されることになる。計量キャップは、目盛り等を備えていて、内容液の種類や使用量に応じて適量を容易に計量することができるようになっている他、計量した内容液を注ぎ出した後に、再び計量キャップを容器本体の口首部に装着する際に、液だれが生じないようにする必要がある。
【０００３】
口首部への再装着時に液だれが生じないように工夫した計量キャップとしては、例えば計量キャップの先端部外側に雄ネジを設けて注ぎ口が口首部や本体キャップの内側に挿入配置されるような構造としたものや（例えば、特許文献１参照）、計量キャップの注ぎ口部を上方から挿入可能な液回収用の凹部を有する本体キャップを容器本体の口首部に取り付け、この液回収用の凹部に注ぎ口部を挿入させつつ計量キャップを本体キャップに装着するようにしたものが知られている（例えば、特許文献２参照）。
【０００４】
【特許文献１】
特開平９−３０１４０７号公報
【特許文献２】
特開２００１−１３９０４９号公報
【０００５】
【発明が解決しようとする課題】
従来の計量キャップは、主として射出成形、コンプレッション成形等によって形成される合成樹脂製のキャップであったため、成形時の金型の抜き易さ等から、計量キャップの液溜め部分の断面形状は、注ぎ口部の断面形状に制約され、これと同等かこれより小さい形状とする必要があった。したがって、上記従来の注ぎ口部を容器本体の口首部や本体キャップの内側に挿入配置するようにした計量キャップによれば、計量可能な内溶液の容量を増大するべく、液溜め部分の容量を増やそうとした場合、例えば特許文献１，２に示す如く、注ぎ口部と同等の断面で、計量キャップの口首部からの液溜め部分の突出長さを大きくする必要があり、高さ方向にかさばることになると共に、外観上不安定な印象を与えやすくなる。また、計量キャップの注ぎ口部を横断方向に拡径して容量を増大しようとすると、注ぎ口部が挿入される口首部や本体キャップもまた横断方向に拡径する必要が生じて、容器本体や本体キャップを形成する際に使用する樹脂の量が増えたり、容器本体の口首部の寸法不安定によって嵌合の不具合（液もれ等）を生じることになる。
【０００６】
これに対し、例えば計量キャップの成形方法等を工夫することによって計量可能な容量の増大を図るべく、先端の注ぎ口が容器本体の口首部や本体キャップの内側に挿入配置される液戻し筒部の上方に、当該液戻し筒部の内径よりも大きな内径を備える液溜め膨出部を設け、これによって液溜め部分の口首部からの突出長さを大きくすることなく、また口首部や本体キャップを横断方向に拡径することなく計量可能な内溶液の容量を増やすようにした計量キャップが、本願出願人の出願に係る特願２００２−３７７８６３号に記載されているが、このような構成の計量キャップにおいては、成形のし易や取り扱い易さを一層向上させると共に、より安価に製造することのできる計量キャップの開発が要望されている。
【０００７】
本発明は、容器本体の口首部からの突出長さを過度に大きくすることなく、且つ容器本体の口首部や本体キャップを横断方向に拡径することなく液溜め部分の容量を増大して、計量可能な内溶液の容量を容易に増やすことができ、また成形のし易や取り扱い易さを一層向上させると共に、より安価に製造できる計量キャップを提供することを目的とする。
【０００８】
【課題を解決するための手段】
本発明は、容器本体の口首部又は該口首部に取り付けられた本体キャップに着脱可能に装着される計量キャップであって、先端の注ぎ口を下方に向けて、装着時に前記口首部又は前記本体キャップの内側に少なくとも先端側の一部が上方から挿入配置される液戻し筒部と、該液戻し筒部と接続部を介して接続する当該液戻し筒部の内径よりも大きな内径を備える液溜め膨出部とを有しており、且つ前記液戻し筒部と前記液溜め膨出部が前記接続部で上下に分割されて、前記液溜め膨出部はヒンジ接合部を介して前記接続部に連結されており、前記液溜め膨出部は、前記ヒンジ接合部を中心に回動し、周縁シール接合手段を介して前記接続部に接合一体化される計量キャップを提供することにより、上記目的を達成したものである。
【０００９】
ここで、上記記載において、液戻し筒部の内径と比較される液溜め膨出部の内径は、当該液溜め膨出部における胴部の内径を意味するものであり、当該胴部において、液戻し筒部の内径よりも内径が大きい部分を少なくとも一部に有していれば良い。また、内径は、液戻し筒部又は液溜め膨出部の断面形状が円形である場合にはこれの直径を意味し、円形以外のものである場合には、当該断面形状の断面二次半径の２倍を意味するものである。
【００１０】
【発明の実施の形態】
図１及び図２に示す本発明の好ましい実施形態に係る計量キャップ１０は、例えば内容液として液体洗剤や柔軟剤、漂白剤、糊剤等を収容する合成樹脂製のボトル容器の口首部１１に着脱可能に装着されると共に、外周面又は内周面に目盛り等が描かれていて、適量の液体洗剤等を計量して洗濯機等に投入することのできる機能を備えている。
【００１１】
また、本実施形態によれば、ボトル容器を構成する容器本体１２の上端部から突出して設けられた口首部１１には、液回収用凹部２０を有する本体キャップ１３が取り付けられており、この本体キャップ１３に螺合装着されることにより、計量キャップ１０は、当該本体キャップ１３を介して口首部１１に着脱可能に装着されることになる。なお、本実施形態によれば、口首部１１の内径Ｄ１は、例えばφ３２．０ｍｍとなっている。
【００１２】
そして、本実施形態の計量キャップ１０は、先端の注ぎ口１４を下方に向けて、図１に示す装着時に本体キャップ１３の内側に少なくとも先端側の一部（本実施形態では略全体）が上方から挿入配置される液戻し筒部１５と、この液戻し筒部１５と接続部１７を介して接続する当該液戻し筒部１５の内径Ｄ２よりも大きな内径Ｄ３を備える液溜め膨出部１６とを有しており、且つ液戻し筒部１５と液溜め膨出部１６が接続部１７で上下に分割されて、液溜め膨出部１６はヒンジ接合部５０を介して接続部１７に連結されており、液溜め膨出部１６は、ヒンジ接合部５０を中心に回動し、周縁シール接合手段５１により接続部１７で接合一体化されている。
【００１３】
また、本実施形態によれば、周縁シール接合手段５１は、図１に示す装着時に液溜め膨出部１６の下端部において周方向に沿って設けられた、一対の環状突壁５２ａ，５２ｂに挟まれる嵌合凹部５２と、接続部１７の周方向に沿って上方に突出するように設けられた、液溜め膨出部１６の嵌合凹部５２に嵌合する環状突壁による嵌合凸部５３とによって構成されている。
【００１４】
本実施形態によれば、口首部１１に取り付けられる本体キャップ１３は、例えば特開２００１−１３９０４９号公報に記載される本体キャップと略同様の構成を有する、例えば射出成形によって形成された合成樹脂製の公知のものであり、注ぎ口１４を下方に向けた状態の計量キャップ１０の液戻し筒部１５を、上方から挿入配置させることのできる大きさの液回収用凹部２０を内側に有している。
【００１５】
また本体キャップ１３は、ボトル容器の口首部１１の外周面を覆って装着されるスカート壁部２２と、スカート壁部２２の天井部２３から上方に突出してスカート壁部２２よりも小さな径で同心状に設けられ、外周面に雄ネジ２５が形成された雄ネジ壁部２４と、雄ネジ壁部２４の下端部から口首部１１の内周面に沿うようにして下方に延設されると共に、斜めに傾斜する底面板２６を有する椀状の受け皿部２７と、この受け皿部２７の中央部分から上方に突出して設けられ、液回収用凹部２０に液戻し筒部１５を挿入配置した計量キャップ１０の装着時に、液戻し筒部１５を経て計量キャップ１０の内側に配置される注出ノズル２１とからなる。
【００１６】
スカート壁部２２は、その下端部内周面に係合用凹凸部２８を有しており、本体キャップ１３をボトル容器の口首部１１に押し込んで、この係合用凹凸部２８を口首部１１の基端部外周面に形成した被係合用凹凸部２９に係止することにより、本体キャップ１３がボトル容器の口首部１１に装着固定される。また、雄ネジ壁部２４の雄ネジ２５には、後述する計量キャップ１０のスカート状の接続雌ネジ壁３０に形成された雌ネジ３１が螺合され、また雄ネジ壁部２４は、受け皿部２７と共にその内側に液回収用凹部２０を形成する。
【００１７】
受け皿部２７は、ボトル容器の口首部１１の内側に挿入配置される椀状部分であって、これの斜めに傾斜する底面板２６には、その最も低い部分に位置して液戻し開口３２が形成されている。そして計量キャップ１０を再装着した際に、計量キャップ１０から液回収用凹部２０に回収された余剰液を、この液戻し開口３２を介して容器本体１２の内部に戻すことができるようになっている。また、底面板２６の周縁部分から離れた中央部分には、当該底面板２６から雄ネジ壁部２４の上方まで突出させて注出ノズル２１が設けられている。注出ノズル２１は、その基端部において底面板２６に開口形成した流出開口３３と連通しており、計量キャップ１０の注ぎ口１４よりも断面形状が小さくなった先端注出口３４を介して、計量キャップ１０に液体洗剤をスムーズに注出することができるようになっている。
【００１８】
本実施形態によれば、本体キャップ１３を介して口首部１１に装着される計量キャップ１０は、例えば透明な合成樹脂を射出成形することにより、液戻し筒部１５と接続部１７とが一体となった下方部材１８と、液溜め膨出部１６に接合スカート部４０を連接した上方部材１９とが、ヒンジ接合部５０を介して連結されると共に液溜め膨出部１６が液戻し筒部１５に対して開いた状態で成形されることになる（図２参照）。そして、ヒンジ接合部５０を介して連結される下方部材１８及び上方部材１９を図２に示す開いた状態で成形することにより、液戻し筒部１５と、接続部１７と、接合スカート部４０を連接した液溜め膨出部１６とを一体成形する場合でも、射出成形時に金型を抜き易い形状を保持することが可能になり、１部品として、これらの部分を一組の金型を用いて容易に形成することが可能になる。
【００１９】
また、上述のように一体として射出成形された計量キャップ１０は、上方部材１９の液溜め膨出部１６をヒンジ接合部５０を中心に回動し、下方部材１８の上端開口を覆うようにしつつ、上方部材１９の嵌合凹部５２と接続部１７の嵌合凸部５３とによる周縁シール接合手段５１により下方部材１８と上方部材１９とを接合一体化することによって、液戻し筒部１５と、これの上方に配置される液溜め膨出部１６とを備える計量キャップ１０が形成されることになる。
【００２０】
下方部材１８を構成する液戻し筒部１５は、内径Ｄ２が例えばφ２６．６ｍｍとなった略円筒状部分である注ぎ口部１５ａと、この注ぎ口部１５ａの基端部から接続部１７に向けてその内径を徐々に拡径させつつ斜めに延設する部分を備える拡径部１５ｂとからなり、また拡径部１５ｂの基端部から外側に張り出して、接続部１７が一体接合されている。
【００２１】
注ぎ口部１５ａは、接続リング帯４３の下面が本体キャップ１３の雄ネジ壁部２４の上端に当接するまで計量キャップ１０を螺合装着した際に、先端の注ぎ口１４が受け皿部２７の底面板２６の近くに配置される長さで設けられている（図１参照）。また、計量キャップ１０が本体キャップ１３に螺合装着された際に、注ぎ口１４の開口周縁部分は、液回収用凹部２０の下部において受け皿部２７の内周面に形成された当接段差部３６と密着当接するようになっており、これによって、収容された液体洗剤等が、液戻し筒部１５の外側の液回収用凹部２０との間の隙間に回り込むのを防止するシール機能を、効果的に発揮するようになっている。さらに、注ぎ口部１５ａとこれに連接する拡径部１５ｂには、外周面又は内周面に、計量用の目盛りが適宜描かれている。
【００２２】
なお、本実施形態によれば、注ぎ口１４の先端の開口周縁部分は、外側に折り返すように湾曲するラッパ口形状を備えている。すなわち、本実施形態によれば、連結される下方部材１８及び上方部材１９は、開いた状態で一体として成形されることから、射出成形時の金型が抜き易くなって、このようなラッパ口形状を注ぎ口１４の開口周縁部分に容易に設けることが可能になる。また注ぎ口１４の先端の開口周縁部分がラッパ口形状となっていることにより、計量キャップ１０から液体洗剤等を注ぎ出した後の開口周縁部分における液切れが確実かつ容易に行われることになり、これによって液体洗剤等の回り込みをさらに効果的に回避することが可能になると共に、周辺部分を汚損することもない。さらに、汚れなどの付着した部分には塗布しやすくなり、必要な箇所に適量塗布することができる。
【００２３】
拡径部１５ｂは、接続部１７と注ぎ口部１５ａとの間に介在してこれらを接続する部分であって、注ぎ口部１５ａの基端部から斜めに延設する傾斜部３５ａと、接続リング帯４３に近接する部分において垂直に延設する垂直部３５ｂとからなり、垂直部３５ｂの外周面が、計量キャップ１０の装着時に液回収用凹部２０の上端部内周面と密着する上方シール面３７を構成している。この上方シール面３７と接続雌ネジ壁３０の内側面との間に本体キャップ１３の雄ネジ壁部２４の上端部を挟み込みようにしつつ、計量キャップ１０が本体キャップ１３に装着されることになる。
【００２４】
下方部材１８を構成する接続部１７は、液戻し筒部１５の拡径部１５ｂの基端部から外側に張り出して連接する接続リング帯４３と、この接続リング帯４３の外周縁部から垂下されて液戻し筒部１５と同心状に配置され、内周面に雌ネジ３１を有するスカート状の接続雌ネジ壁３０と、接続雌ネジ壁３０の上方に連続して接続リング帯４３から突出して配置される、周縁シール接合手段５１を構成する環状突条による嵌合凸部５３とからなり、また嵌合凸部５３の内側にこれと同心状に配置されて、挟込み環状壁３８が接続リング帯４３から上方に突出して設けられている。なお、嵌合凸部５３の内側に挟込み環状壁３８が設けられていることにより、液溜め膨出部１６の嵌合凹部５２を構成する一対の環状突壁５２ａ，５２ｂのうちの内側の環状突壁５２ｂを、嵌合凸部５３との間に挟み込んで、嵌合凸部５３と嵌合凹部５２との嵌合による周縁シール接合手段５１のシール性能を、効果的に補完することが可能になる。
【００２５】
なお、挟込み環状壁３８は、必ずしも設ける必要はなく、挟込み環状壁３８を設けておかないことにより、計量キャップ１０による内容液の計量後に、計量キャップ１０を再度容器本体１２に装着する際に、液溜め膨出部１６に付着した内容液の容器本体１２への回収をよりスムーズに行うことが可能になる。また接続リング帯４３の液戻し筒部１５への連接部分における内側角部分は、テーパー部４４として斜めに切り欠かれており、これによっても液溜め膨出部１６に付着した内容液の容器本体１２への回収をよりスムーズに行うことが可能になる。
【００２６】
また、本実施形態によれば、内周面に雌ネジ３１を有するスカート状の接続雌ネジ壁３０を、外周面に雄ネジ２５が設けられた本体キャップ１３の雄ネジ壁部２４に螺合することによって、計量キャップ１０が口首部１１に着脱可能に装着されることになり、接続雌ネジ壁３０の雌ネジ３１を介して計量キャップ１０を本体キャップ１３に螺合装着することにより、注ぎ口１４から液戻し筒部１５の外周面に内溶液である液体洗剤等が液だれした場合でも、当該液体洗剤等が雌ネジ３１に付着するのを効果的に回避できると共に、計量キャップ１０を着脱する際に指が汚れるのを効果的に回避することが可能になる。
【００２７】
そして、本実施形態によれば、嵌合凸部５３を構成する環状突壁は、その外周面が接続雌ネジ壁３０の外周面と面一となるように立設しており、これらの連続する外周面によって形成される下方部材１８の上部外周面３９が、上方部材１９の下部に設けられた接合スカート部４０の内側に填め込まれることにより、下方部材１８と上方部材１９とが接合一体化されることになる。また、嵌合凸部５３の外周面と接続雌ネジ壁３０の外周面とによる上部外周面３９には、上下方向に延設する帯状係止凸部４１が、周方向に間隔をおいて複数設けられている。上方部材１９の接合スカート部４０の内側面に上下方向に延設して複数設けた帯状係止凹部４２（図２参照）を、これらの帯状係止凸部４１に各々係止しつつ上方部材１９を下方部材１８に装着一体化することにより、後述するヒンジ接合部５０によって回転移動を防止する機能を補完して、上方部材１９の下方部材１８に対する周方向への相対的な回転移動を、より効果的に回避することが可能になる。
【００２８】
上方部材１９は、その胴部の内径Ｄ３が例えばφ３６．０ｍｍとなった略有底円筒形状を備える液溜め膨出部１６と、図１に示す装着時において、液溜め膨出部１６に設けらた嵌合凹部５２を構成する外側の環状突壁５２ａの下端部から連続して垂下されて、ヒンジ接合部５０及びこれの両側近傍部分を除く環状突条５２ａの略全周に亘って設けられた、液溜め膨出部１６よりも内径を僅かに拡径させて延設された接合スカート部４０とからなる。
【００２９】
液溜め膨出部１６は、主として計量される液体洗剤等を貯留する部分であって、その内径Ｄ３が、液戻し筒部１５の注ぎ口部１５ａの内径Ｄ２よりも大きくなっており、且つ上方から見て本体キャップ１３のスカート壁部２２によって囲まれる領域内に納まる大きさの外径となるように形成されている。また、液溜め膨出部１６は、接続部１７の接続リング帯４３からの高さＨが例えば３２．０ｍｍとなっており、当該高さＨが液溜め膨出部１６の内径Ｄ３よりも小さくなった、扁平で安定した外観形状を有している。さらに、複雑な凹凸形状が外側からは見えないように内側に覆い隠されて、簡素な外観形状を有している。
【００３０】
装着時に液溜め膨出部１６の下端部に設けられて、接続部１７に設けられた嵌合凸部５３と共に周縁シール接合手段５１を構成する嵌合凹部５２は、当該下端部において外側の環状突壁５２ａと内側の環状突壁５２ｂとの間に挟まれた凹状部分として形成されている。ここで、内側の環状突壁５２ｂは、液溜め膨出部１６と同径で下方に延設する環状突壁であり、外側の環状突条５２ａは、内側の環状突壁５２ｂとの間に例えば１．５ｍｍ程度の間隔をおいて、内側の環状突壁５２ｂよりも径の大きな同心状に配置されて下方に延設する環状突壁である。そして、上方部材１９をヒンジ接合部５０を中心に回動し、下方部材１８の上端開口を覆うようにして液溜め膨出部１６を接続部１７に接合一体化する際に、接続部１７の嵌合凸部５３は、一対の環状突壁５２ａ，５２ｂの間を押し広げるようにしつつ嵌合凹部５２に密着嵌合することにより、強固なシール性能を発揮する周縁シール接合手段５１が得られることになる。
【００３１】
接合スカート部４０は、装着時に液溜め膨出部１６の下方に配置されて下方部材１８の上部外周面３９を内挿嵌合するスカート状の部分であって、上方部材１９をヒンジ接合部５０を中心に回動した際に、帯状係止凸部４１を帯状係止凹部４２に係止しつつ上部外周面３９を内側に填め込むようにして、下方部材１８と上方部材１９とを接合一体化させる。また接合スカート部４０の下端内側面には、下端固定リブ４３が内側に突出して設けられており、接合スカート部４０の下端開口の弾性変形を介して、填め込まれた下方部材１８の接続雌ネジ壁３０の下端縁部にこの下端固定リブ４３を係止固定することにより、嵌合凹部５２に嵌合凸部５３を密着嵌合させた状態で、上方部材１９と下方部材１８とが強固に接合一体化されることになる。
【００３２】
なお、接合スカート部４０の下端固定リブ４３を接続雌ネジ壁３０の下端縁部に係止固定することによる上方部材１９と下方部材１８との接合一体化は、その係合を強固にしたり、係止させた後に固着する等によって、接合一体化された状態が外れないようにすることもできるが、計量キャップ１０を容器本体１２に装着した後も、当該係止状態を着脱可能に解除すると共に液溜め膨出部１６を回動させて、接続部１７の上方を開放可能にすることもできる。これによって、容器本体１２の内部に収容された内溶液が減少した場合に、計量キャップ１０を取り付けたままの状態で接続部１７の上方から内溶液を容易に補充することが可能になり、且つ接続部１７による補充口の内径が、容器本体１２の口首部１１の内径Ｄ１よりも大きくなって、このような補充作業をよりスムーズに行うことが可能になる。
【００３３】
本実施形態によれば、ヒンジ接合部５０は、例えば液戻し筒部１５及び接続部１７が一体となった下方部材１８と、液溜め膨出部１６に接合スカート部４０を連接した上方部材１９とを、射出成形によって形成する際に、例えば接合スカート部４０が設けられていない部分において、下方部材１８の周縁部と上方部材１９の周縁部とを周方向の幅が例えば１．５〜５ｍｍ程度の帯状部分５４で連結接合すると共に、この帯状部分５４の中央に半切れ線等による折れ癖線５５を形成し、この折れ癖線５５を中心に、上方部材１９を下方部材１８に対して回動できるようにすることによって構成されている。
【００３４】
そして、上記構成を有する本実施形態の計量キャップ１０によれば、容器本体１２の口首部１１からの突出長さを過度に大きくすることなく、且つ容器本体１２の口首部１１や本体キャップ１３を横断方向に拡径することなく液溜め部分の容量を増大して、計量可能な内溶液の容量を容易に増やすことができ、また成形のし易や取り扱い易さを一層向上させると共に、より安価に製造することが可能になる。すなわち、本実施形態によれば、計量キャップ１０は、液戻し筒部１５と連接したこれの内径Ｄ２よりも大きな内径Ｄ３を備える液溜め膨出部１６を有しているので、この拡径された液溜め膨出部１６によって、当該液溜め膨出部１６の高さを過度に大きくして不安定な形状とすることなく、計量可能な液体洗剤等の内溶液の容量を容易に増やすことが可能になる。
【００３５】
また、液溜め膨出部１６の拡径によって計量可能な内溶液の容量が増えることにより、液戻し筒部１５の外径を、従来のものと同様の大きさに保持することができ、従って口首部１１や本体キャップ１３を横断方向に拡径する必要がない。また口首部１１や本体キャップ１３を横断方向に拡径する必要がないため、口首部１１を拡径する場合に生じる寸法不安定による液漏れの不具合を防止することが可能になる。
【００３６】
さらに、本実施形態によれば、液溜め膨出部１６の外径が本体キャップ１３のスカート壁部２２の外径と略同じ大きさとなっているので、安定感のあるシンプルな外観を有するとと共に、計量キャップ１０を着脱する際の操作や、ボトル容器の製造時における箱詰めする工程等において、容器の首部を把持する操作をスムーズに行うことが可能になる。
【００３７】
さらにまた、本実施形態の計量キャップ１０によれば、液戻し筒部１５及び接続部１７が一体となった下方部材１８と、液溜め膨出部１６に接合スカート部４０を連接した上方部材１９とが、ヒンジ接合部５０を介して連結されると共に、液溜め膨出部１６が液戻し筒部１５に対して開いた状態で、１部品として容易に形成することができるので、金型や樹脂量の低減、製造工程の簡略化等によって安価に製造することが可能になる。
【００３８】
また、液戻し筒部１５及び接続部１７が一体となった下方部材１８と、液溜め膨出部１６に接合スカート部４０を連接した上方部材１９とが、ヒンジ接合部５０を介して連結されていることにより、互いに分離されることがなく、片方を紛失するおそれがない。さらに、ヒンジ接合部５０を介して相互の位置決めがなされるので、開いた状態でホットスタンプ等を容易に施すことが可能になると共に、成形時、組立時、使用時等における、液戻し筒部１５に対する液溜め膨出部１６の共廻りを効果的に回避することが可能になる。
【００３９】
なお、本発明は上記実施形態に限定されることなく種々の変更が可能である。例えば、本発明の計量キャップは、本体キャップを介して容器本体の口首部に装着されるものである必要は必ずしもなく、容器本体の口首部に直接装着されるものであっても良い。計量キャップの液戻し筒部や液溜め膨出部は円形断面のものである必要は必ずしもなく、また雄ネジや雌ネジを介して本体キャップ等に螺合装着されるものである必要は必ずしもない。さらに、容器本体に収容される内容液は、液体洗剤、柔軟剤、糊剤等の他、計量を必要とするその他の種々の液体製品であっても良い。さらにまた、周縁シール接合手段は、周方向に沿って設けられた嵌合凹部と嵌合凸部とによって構成されるもの以外のものであって良い。
【００４０】
また、図３（ａ），（ｂ）に示すように、接続雌ネジ壁３０の外周面おけるヒンジ接合部５０を挟んだ両側、及びこれと径方向反対側における接合スカート部４０の外周面等に、グリップ用リブ５６や突起を設けておくこともでき、これによって、ヒンジ接合部５０の破損を効果的に防止することが可能になると共に、ヒンジ接合部５０に直接手が触れるのを回避することができ、また計量キャップ１０のスムーズな開閉を容易に行うことが可能になる。
【００４１】
【発明の効果】
本発明の計量キャップによれば、容器本体の口首部からの突出長さを過度に大きくすることなく、且つ容器本体の口首部や本体キャップを横断方向に拡径することなく液溜め部分の容量を増大して、計量可能な内溶液の容量を容易に増やすことができ、また成形のし易や取り扱い易さを一層向上させると共に、より安価に製造することができる。
【図面の簡単な説明】
【図１】本発明の一実施形態に係る計量キャップを説明する、容器本体の口首部への装着状態の断面図である。
【図２】本発明の一実施形態に係る計量キャップを説明する、液溜め膨出部を開いた状態の断面図である。
【図３】本発明の他の一実施形態に係る計量キャップを説明する、（ａ）は上面図、（ｂ）は断面図である。
【符号の説明】
１０  計量キャップ
１１  口首部
１２  容器本体
１３  本体キャップ
１４  注ぎ口
１５  液戻し筒部
１６  液溜め膨出部
１７  接続部
１８  下方部材
１９  上方部材
２０  液回収用凹部
３０  接続雌ネジ壁
４０  接合スカート部
４３  接続リング帯
５０  ヒンジ接合部
５１  周縁シール接合手段
５２  嵌合凹部
５３  嵌合凸部
【図１】
2004331146.tif 000003
【図２】
2004331146.tif 000004
【図３】
2004331146.tif 000005